(57)【要約】【課題】空気流の体感性の向上を図ること。【解決手段】送風システム１は、一対のノズル部２を備える。一対のノズル部２は、構造体Ｘ１の一表面１０１の両側から、一表面１０１に沿って各々が空気流を吹き出す。一対のノズル部２は、それぞれから互いに近づく方向に吹き出した空気流同士を衝突させて、一表面１０１と交差する方向に沿って一表面１０１から離れるように流れる合流空気流Ｇ１を発生させる。【選択図】図１
2020165566.tif 000002
【特許請求の範囲】
【請求項１】
構造体の一表面の両側から、当該一表面に沿って各々が空気流を吹き出す、一対のノズル部を備え、
前記一対のノズル部は、それぞれから互いに近づく方向に吹き出した前記空気流同士を衝突させて、前記一表面と交差する方向に沿って前記一表面から離れるように流れる合流空気流を発生させる、
送風システム。
【請求項２】
前記一対のノズル部の少なくとも一方から吹き出す前記空気流に対して、第１変化及び第２変化の少なくとも一方を付与する、気流制御部を更に備え、
前記第１変化は、前記空気流の風量に関する変化であり、
前記第２変化は、前記空気流を複数の気流に分流させる変化である、
請求項１に記載の送風システム。
【請求項３】
前記気流制御部は、前記空気流に対して、少なくとも前記第１変化を付与し、
前記気流制御部は、前記合流空気流の風向が変化するように、前記一対のノズル部が並ぶ並び方向における前記空気流同士が衝突する位置を調整する、
請求項２に記載の送風システム。
【請求項４】
前記気流制御部は、前記空気流に対して、少なくとも前記第１変化を付与し、
前記気流制御部は、前記風量を変更可能な送風機を含む、
請求項２又は請求項３に記載の送風システム。
【請求項５】
前記気流制御部は、前記空気流に対して、少なくとも前記第１変化を付与し、
前記気流制御部は、前記風量を変更可能な開閉機構を含む、
請求項２〜４のいずれか１項に記載の送風システム。
【請求項６】
電気信号を出力するセンサを、更に備え、
前記気流制御部は、前記空気流に対して、少なくとも前記第１変化を付与し、
前記気流制御部は、前記センサから取得する前記電気信号に応じて、前記空気流の風量を変化させる、
請求項２〜５のいずれか１項に記載の送風システム。
【請求項７】
前記気流制御部は、前記空気流に対して、少なくとも前記第２変化を付与し、
前記気流制御部は、前記一対のノズル部の各々に設けられて前記複数の気流を発生させる分流構造を有し、
前記一対のノズル部は、前記空気流同士が、前記一表面から前方に所定の距離だけ離れた位置で衝突するように、前記一表面に対して斜め前方に前記複数の気流を放出する、
請求項２〜６のいずれか１項に記載の送風システム。
【請求項８】
前記分流構造は、
前記一表面に沿って並び、かつ前記複数の気流をそれぞれ放出する複数の開口部と、
前記複数の開口部における隣接する２つの開口部の間に介在し、かつ前記複数の開口部から放出した前記複数の気流における隣接する２つの気流の間に空気が誘引される誘引部を作る壁部と、を有する、
請求項７に記載の送風システム。
【請求項９】
前記一対のノズル部の少なくとも一方から吹き出す前記空気流に対して付加要素を付与する機能部を、更に備え、
前記付加要素は、香り、空気浄化、及び温度変化のうちの少なくとも１つを含む、
請求項１〜８のいずれか１項に記載の送風システム。
【請求項１０】
前記空気流を前記一対のノズル部に送る１又は複数の送風機を、更に備え、
前記一対のノズル部までの前記空気流の流路上において、前記機能部、前記１又は複数の送風機、及び前記一対のノズル部の順で、これらが配置される、
請求項９に記載の送風システム。
【請求項１１】
前記一対のノズル部の各々は、前記空気流の風向制御を行う、１又は複数のルーバを有する、
請求項１〜１０のいずれか１項に記載の送風システム。
【請求項１２】
前記一対のノズル部の各々は、前記空気流を前記一表面に沿って吹き出す吹出口を有し、
前記吹出口は、その長手方向が前記一表面に沿ったスリット形状となっている、
請求項１〜１１のいずれか１項に記載の送風システム。
【請求項１３】
前記構造体は、窓部材であり、
前記一対のノズル部の少なくとも一方は、前記窓部材における前記一表面の前方に生じる下降冷気に対向するように前記空気流を吹き出す、
請求項１〜１２のいずれか１項に記載の送風システム。
【請求項１４】
前記構造体は、映像及び文字の少なくとも一方を表示する表示部である、
請求項１〜１２のいずれか１項に記載の送風システム。
【請求項１５】
請求項１〜１４のいずれか１項に記載の送風システムと、
窓部材である前記構造体を支持する窓枠と、を備え、
前記窓枠は、互いに対向する一対の枠片を有し、
前記一対のノズル部は、前記空気流を吹き出す吹出口が前記窓枠から露出するように、前記一対の枠片の内部にそれぞれ配置される、
送風窓。
【発明の詳細な説明】
【技術分野】
【０００１】
本開示は、一般に、送風システム、及び送風窓に関し、より詳細には、空気流を吹き出す送風システム、及び当該送風システムを備えた送風窓に関する。
【背景技術】
【０００２】
従来例として、特許文献１に記載の遊技機を例示する。この遊技機は、遊技者周囲の空気の流れを改善するために、エアーを吸引可能なエアー吸引口と、浄化されたエアーを排出するための排出口とを備えている。この遊技機は、排出口より、当該遊技機の前方に居る遊技者に向かってエアーを送出する。また遊技機は、遊技状態（演出状態）に応じて、エアーを弱風、又は強風に切り替える。
【先行技術文献】
【特許文献】
【０００３】
【特許文献１】特開２０１１−２０６５８７号公報
【発明の概要】
【発明が解決しようとする課題】
【０００４】
ところで、特許文献１に記載の遊技機では、遊技者（ユーザ）に対してエアー（空気流）の体感性を十分に提供できているとは言えない可能性がある。更なる空気流の体感性の向上が望まれる。
【０００５】
本開示は上記事由に鑑みてなされ、空気流の体感性の向上を図ることができる、送風システム、及び送風窓を提供することを目的とする。
【課題を解決するための手段】
【０００６】
本開示の一態様の送風システムは、一対のノズル部を備える。前記一対のノズル部は、構造体の一表面の両側から、当該一表面に沿って各々が空気流を吹き出す。前記一対のノズル部は、それぞれから互いに近づく方向に吹き出した前記空気流同士を衝突させて、前記一表面と交差する方向に沿って前記一表面から離れるように流れる合流空気流を発生させる。
【０００７】
本開示の一態様の送風窓は、上記の送風システムと、窓枠と、を備える。前記窓枠は、窓部材である前記構造体を支持する。前記窓枠は、互いに対向する一対の枠片を有する。前記一対のノズル部は、前記空気流を吹き出す吹出口が前記窓枠から露出するように、前記一対の枠片の内部にそれぞれ配置される。
【発明の効果】
【０００８】
本開示によれば、空気流の体感性の向上を図ることができる、という利点がある。
【図面の簡単な説明】
【０００９】
【図１】図１は、一実施形態に係る送風システムを備えた送風窓の外観斜視図である。
【図２】図２は、図１におけるＡ−Ａ線断面図である。
【図３】図３は、同上の送風システムの構成を示すブロック図である。
【図４】図４Ａ〜４Ｄは、同上の送風システムにて風量バランスを調整した場合における合流空気流を説明するための図である。
【図５】図５Ａ〜５Ｄは、同上の送風システムにて風量バランスを調整した場合における合流空気流を説明するための図である。
【図６】図６は、同上の送風システムにおける変形例１の断面図である。
【図７】図７Ａは、同上の変形例１におけるノズル部の斜視図である。図７Ｂは、図７ＡにおけるＢ−Ｂ線断面図である。
【図８】図８Ａ及び８Ｂは、比較例における合流空気流を説明するための図である。
【図９】図９Ａ及び９Ｂは、同上の変形例１における合流空気流を説明するための図である。
【図１０】図１０Ａは、同上の送風システムにおける変形例２の吸込口の正面図である。図１０Ｂは、同上の変形例２における別例の吸込口の正面図である。
【図１１】図１１Ａは、同上の送風システムにおける変形例３を備えたデジタルサイネージの外観斜視図である。図１１Ｂは、同上の送風システムにおける変形例４を備えた送風窓の側方から見た概念図である。
【発明を実施するための形態】
【００１０】
（１）概要
以下の実施形態において説明する各図は、模式的な図であり、各図中の各構成要素の大きさ及び厚さそれぞれの比が、必ずしも実際の寸法比を反映しているとは限らない。
【００１１】
本実施形態に係る送風システム１は、図１に示すように、一対のノズル部２を備えている。一対のノズル部２は、構造体Ｘ１の一表面１０１の両側（図１では左右の両側）から、一表面１０１に沿って各々が空気流を吹き出す。本開示で言う「一表面１０１に沿う」とは、「一表面１０１と平行する」だけでなく、「一表面１０１の斜め前方に向かう」ことも含む。また以下では、ノズル部２の数は２つであることを想定するが、３つ以上でもよく、送風システム１は、例えば、一対のノズル部２を２組（合計４つ）備えてもよい。
【００１２】
ここで一対のノズル部２は、図２に示すように、それぞれから互いに近づく方向に吹き出した空気流同士を衝突させて、一表面１０１と交差する方向に沿って一表面１０１から離れるように流れる合流空気流Ｇ１を発生させるように構成される。
【００１３】
この構成によれば、一対のノズル部２から吹き出した空気流同士の衝突による合流空気流Ｇ１が一表面１０１から離れるように流れる。そのため、例えば一表面１０１の正面に人が存在すれば、その人に合流空気流Ｇ１を体感させることができる。その結果、例えば単体のノズル部から吹き出す空気流を、そのまま人に向けて提供する場合に比べて、臨場感のある空気流を提供できる。その結果、空気流の体感性の向上を図ることができる。
【００１４】
本実施形態では一例として、構造体Ｘ１が窓部材１０２（図１及び図２参照）であることを想定する。そして、本実施形態に係る送風窓１００は、送風システム１と、窓部材１０２を支持する窓枠１０３と、を備えている。窓枠１０３は、互いに対向する一対の枠片１０４を有している。一対のノズル部２は、空気流を吹き出す吹出口２０が窓枠１０３から露出するように、一対の枠片１０４の内部にそれぞれ配置される。
【００１５】
送風窓１００は、一例として、マンション（集合住宅）、ホテル、又はオフィスビル等の施設において、比較的窓（窓部材１０２）の開閉が容易に行い難いような高層階に設置されることを想定する。送風窓１００は、例えば、窓枠１０３に窓部材１０２が固定されていて開閉できない窓を想定する。しかし、窓部材１０２は、窓枠１０３に対して開閉可能に支持されていてもよい。また送風窓１００の設置場所は、上記の施設以外にも、戸建住宅、劇場、映画館、公会堂、遊技場、複合施設、飲食店、百貨店、学校、旅館、病院、老人ホーム、幼稚園、図書館、博物館、美術館、地下街、駅、又は空港等でもよい。
【００１６】
この構成によれば、空気流の体感性の向上を図ることが可能な送風システム１を備えた送風窓１００を提供できる。なお、以下では、窓部材１０２（構造体Ｘ１）も送風窓１００の構成要素の１つとして説明するが、窓部材１０２は送風窓１００にとって必須の構成要素ではない。例えば送風窓１００の設置現場等において、ユーザ等の要望に応じた窓部材１０２が、後付けで適宜に設けられてもよい。
【００１７】
（２）詳細
以下、本実施形態に係る送風システム１を備えた送風窓１００の全体構成について、図１〜図３を参照しながら詳しく説明する。
【００１８】
（２．１）全体構成
送風窓１００は、上述の通り、例えば施設における高層階等の外壁に用いられる窓として適用される。施設内において、送風窓１００の窓辺にいる人（以下、「ユーザ」と呼ぶ）は、送風窓１００越しに施設外の外景を眺望できる。
【００１９】
図１は、送風窓１００が壁に設置された状態における、施設の室内から見た送風窓１００の外観図である。以下では、送風窓１００が壁に設置された状態（図１参照）で、室内にて送風窓１００を正面から見た場合における上下方向及び左右方向を、送風窓１００の上下方向及び左右方向とする。また送風窓１００に対して室内の側を、送風窓１００の前側（正面側）とし、送風窓１００に対して外景の側を、送風窓１００の後ろ側とする。しかし、これらの方向の規定は、送風窓１００の使用方向を限定する趣旨ではない。
【００２０】
送風窓１００は、全体として、上下方向に長尺の矩形の形状である。送風窓１００は、上述の通り、送風システム１と、窓部材１０２（構造体Ｘ１）と、窓枠１０３とを備えている（図１参照）。
【００２１】
（２．２）窓部材と窓枠
窓部材１０２は、矩形の板状である。窓部材１０２は、透光性を有した材料により形成されている。窓部材１０２は、例えば、透明であるが、半透明でもよい。また窓部材１０２は、ガラス板により構成されているが、特に限定されず、送風窓１００の使用用途に応じて、アクリル板又はポリカーボネート板等により構成されてもよい。また窓部材１０２は、１枚の板材により構成されるだけでなく、２枚以上の板材が厚み方向に並べて構成されてもよい（例えば複層ガラス等）。
【００２２】
窓枠１０３は、窓部材１０２である構造体Ｘ１を支持するように構成される。窓枠１０３は、矩形の板状である窓部材１０２の四辺を囲むように矩形の枠状に形成されている。ここでは、窓枠１０３が窓部材１０２を支持する構造について詳細な説明を省略するが、例えば、窓部材１０２の四辺をそれぞれ嵌め込むための溝が、窓枠１０３の内側の側面に形成されている。
【００２３】
窓枠１０３は、図１に示すように、左右方向において互いに対向する一対の枠片１０４と、上下方向において互いに対向する一対の枠片１０５とを有している。各枠片１０４は、上下方向に沿って延びている矩形の角柱状である。各枠片１０５は、左右方向に沿って延びている矩形の角柱状である。窓枠１０３は、一対の枠片１０４と一対の枠片１０５とが一体となって連結されていることで、矩形の枠状となっている。枠片１０４は、枠片１０５よりも長尺である。
【００２４】
各枠片１０４は、その内部に、送風システム１の（後述する）ノズル部２の一部を収容するための収容空間を有している。特に各枠片１０４には、ノズル部２の吹出口２０を外部に露出するための、スリット形状の貫通孔１０６が設けられている。貫通孔１０６は、収容空間と外部とをつなぐ。各貫通孔１０６は、上下方向に長尺である。各貫通孔１０６は、対応する枠片１０４の内側面１０７（一対の枠片１０４同士の対向面）において、左右方向に貫通していて、上記収容空間と連通している。特に各貫通孔１０６は、その内側面１０７において、窓部材１０２（構造体Ｘ１）の一表面１０１（前面）よりも前方における領域に配置される。
【００２５】
（２．３）送風システム
送風システム１は、上述の通り、一対のノズル部２（図１〜図３参照）を備えている。また送風システム１は、図３に示すように、１又は複数（ここでは２つ）の送風機４と、制御ユニット６と、機能部５と、操作部７と、１又は複数（ここでは２つ）のセンサＺ１と、を更に備えている。
【００２６】
２つの送風機４（ファン部）は、一対のノズル部２の上流側に配置され、空気流を発生させて一対のノズル部２に、一対一でそれぞれ個別に送るように構成される。具体的には、各送風機４は、例えば制御ユニット６の制御により、特定の方向に沿って流れる空気流を発生させて、流路Ｃ２（図３参照）を介して、一対のノズル部２の一方に送る。流路Ｃ２は、各々が送風機４とノズル部２とを空間的に繋ぐ、一対のダクトにより構成される。つまり、ここでは送風機４が２つのため、一対のダクトは、２つの送風機４と一対のノズル部２とをそれぞれ一対一で繋ぐように構成されている。
【００２７】
送風機４は、１つでもよく、この場合、ダクトが、一対のノズル部２に個別に空気流を送り届けるために、その途中で二股に分岐するように構成されてもよい。この場合、一対のノズル部２の各々から吹き出す空気流の風量を個別に調整できるように、二股に分かれた分岐路の途中に風量調整用のダンパーが設けられることが望ましい。
【００２８】
各送風機４は、例えば、旋回成分に比べて直進的な成分を多く含む空気流を発生するシロッコファンである。送風機４の周囲には機能部５が配置されていて、送風機４は、機能部５にて付与された付加要素を含む空気を吸い込み、空気流を発生する。なお、送風機４は、シロッコファンに限定されず、プロペラファンでもよい。本実施形態の送風システム１は、室内の空気を循環させるように構成される。したがって、送風機４に向かう空気の吸込口は、室内に設置されている。
【００２９】
各送風機４は、例えば、インバータ制御により、モータの回転速度を調整して風量を適宜に変更可能である。例えば、操作部７には、風量調節用のボリュームが設けられていて、送風窓１００の設置現場において、ユーザが送風機４の風量を適宜に調節できる。また制御ユニット６が、自動的に送風機４の風量を変更可能である。
【００３０】
本実施形態では、送風機４が、一対のノズル部２から吹き出す空気流に対して空気流の風量に関する変化（第１変化）を付与する「気流制御部３」を、制御ユニット６と共に、構成する。言い換えると、送風システム１は、気流制御部３を備えている。送風機４が２つある場合、第１変化は、一方の送風機４のみを通じて、対応する一方のノズル部２から吹き出す空気流に対して付与されてもよい。要するに、送風システム１において、一対のノズル部２の両方から吹き出す空気流に対して第１変化を付与することは必須ではない。また風量調整用のダンパーがダクトの途中に配置される場合、ダンパーも気流制御部３の構成要素の１つとなり得る。
【００３１】
一対のノズル部２の各々は、例えば、合成樹脂の成形品であるが、特に限定されない。一対のノズル部２の各々は、金属（例えばアルミニウム等）の成形品であってもよい。一対のノズル部２は、構造体Ｘ１である窓部材１０２の一表面１０１の両側（ここでは左右両側）から、一表面１０１に沿って各々が空気流を吹き出すように構成される。
【００３２】
一対のノズル部２は、左右方向において並んでいる（図２の並び方向Ｄ１参照）。一対のノズル部２は、実質的に同形でかつ同寸法であり、左右方向において面対称となるように配置される。各ノズル部２は、その第１端部２１と第２端部２２の両端部の端面が開放された、扁平な中空の角筒状となっている。以下、左右一対のノズル部２を互いに区別して説明する場合には、左のノズル部２を、ノズル部２Ａと呼び、右のノズル部２を、ノズル部２Ｂと呼ぶこともある。
【００３３】
各ノズル部２は、その厚み方向に沿って見て、第１端部２１から第２端部２２に向かうほど上下方向の寸法が徐々に大きくなっており、全体として略三角形の形状となっている。また各ノズル部２は、第１端部２１から第２端部２２の近傍までは前後方向に沿って延びていて、第２端部２２は、他方のノズル部２の方を向くように屈曲している（図２参照）。
【００３４】
第１端部２１の端面には、上流側（送風機４側）からの空気流が導入され得る導入口２３（図１参照）が設けられ、第２端部２２の端面には、ノズル部２内に導入された空気流を吹き出すための吹出口２０（図２参照）が設けられている。一対のノズル部２の吹出口２０同士は、並び方向Ｄ１において互いに対向する。各ノズル部２内における導入口２３から吹出口２０にわたって空気流が流れる内部流路２４は、上下方向に沿って見て、略Ｌ字状に折れ曲がっている（図２参照）。言い換えると、一対のノズル部２の各々は、空気流を窓部材１０２の一表面１０１に沿って吹き出す吹出口２０を有している。吹出口２０は、その長手方向が一表面１０１に沿ったスリット形状となっている。ここでは吹出口２０は、上下方向に沿っている。
【００３５】
内部流路２４は、ノズル部２の外郭と同様に、第１端部２１から第２端部２２に向かうほど上下方向の寸法が徐々に大きくなっている。内部流路２４内を通る空気流は、吹出口２０から、上下方向において略均一の風量で吹き出され得る。
【００３６】
このように構成された一対のノズル部２は、空気流を吹き出す吹出口２０が窓枠１０３の貫通孔１０６から露出するように、一対の枠片１０４の内部にそれぞれ配置される。本実施形態では、各ノズル部２のうち、第２端部２２及びその周辺部分のみが、対応する枠片１０４内に収容されていて、第１端部２１を含む他の部位は、枠片１０４の後ろ側からはみ出た状態で窓枠１０３に保持される。
【００３７】
制御ユニット６は、送風機４の風量を制御する機能を有している。すなわち、制御ユニット６は、上述の通り、送風機４と共に、第１変化を付与する「気流制御部３」を構成する。風量調整用のダンパーがダクトの途中に配置される場合、制御ユニット６は、当該ダンパーの開閉動作を制御する機能を有してもよい。
【００３８】
制御ユニット６は、例えば、送風機４と共に、筐体９（図３参照）内に収容されている。制御ユニット６は、例えば、プロセッサ及びメモリを有するコンピュータシステムを有している。そして、プロセッサがメモリに格納されているプログラムを実行することにより、コンピュータシステムが制御ユニット６として機能する。プロセッサが実行するプログラムは、ここではコンピュータシステムのメモリに予め記録されているが、メモリカード等の非一時的な記録媒体に記録されて提供されてもよいし、インターネット等の電気通信回線を通じて提供されてもよい。
【００３９】
操作部７は、外部（ユーザ）からの操作入力を受け付ける。操作部７は、例えば、施設内の壁面等に設けられている。ユーザは、操作部７への操作により、送風システム１の電源をオン、オフ可能となっている。制御ユニット６は、操作部７にて電源をオンする操作を受け付けると、送風機４の駆動を開始する。またユーザは、操作部７の風量調節用のボリュームを操作することで、各送風機４の風量を調節可能となっている。制御ユニット６は、操作部７にて風量を調節する操作を受け付けると、当該操作に応じて送風機４の風量を変更する。操作部７は、リモートコントローラでもよく、その場合、操作部７から出射される赤外線を受光する受光部が、窓枠１０３又はその近傍に設けられてもよい。
【００４０】
２つのセンサＺ１は、図３に示すように、例えば人感センサ１１及び風量（風速）センサ１２である。各センサＺ１は、それぞれ制御ユニット６と有線で（無線でもよい）通信可能に接続されている。各センサＺ１は、制御ユニット６に電気信号を出力する。制御ユニット６は、送風機４を制御して、各センサＺ１から取得する電気信号に応じて空気流の風量を変化させる。
【００４１】
人感センサ１１は、例えば、その検知エリアＲ０（図２参照）が窓部材１０２（構造体Ｘ１）の一表面１０１の前方の空間に設定されるように、窓枠１０３、又は窓枠１０３の近傍に設置される。人感センサ１１は、例えば、窓部材１０２の前方の検知エリアＲ０に存在するユーザの人体から放射される光線（熱線）を検知して、その検知結果を電気信号に含めて制御ユニット６に出力する。具体的には、例えば検知エリアＲ０は、窓部材１０２の前方において、左側の第１エリアＲ１、中央の第２エリアＲ２、及び右側の第３エリアＲ３の、３つのエリアに分割して設定されている。
【００４２】
制御ユニット６は、人感センサ１１の検知結果に基づき、ユーザが検知エリアＲ０内に進入したか又は検知エリアＲ０外に退出したか（入退判定）、及びユーザが第１〜第３エリアＲ１〜Ｒ３のうちのどのエリアに存在しているか（位置判定）等を判定する。
【００４３】
制御ユニット６は、入退判定により、ユーザが検知エリアＲ０内に進入したと判定すると、送風機４の電源をオンして送風を自動的に開始させてもよい。また制御ユニット６は、入退判定により、ユーザが検知エリアＲ０外に退出したと判定すると、送風機４の電源をオフして送風を自動的に停止させてもよい。
【００４４】
また制御ユニット６は、位置判定により、例えばユーザが第１エリアＲ１に存在していると判定すると、合流空気流Ｇ１の風向が第１エリアＲ１の方に向くように送風機４の風量を自動的に調整するように構成されてもよい。言い換えると、制御ユニット６（気流制御部３）は、位置判定の結果に応じて、合流空気流Ｇ１の風向が変化するように、一対のノズル部２が並ぶ並び方向Ｄ１における空気流同士が衝突する位置を調整する。なお、合流空気流Ｇ１の風向変化についての詳細は、後述する。
【００４５】
風量センサ１２は、施設外の風量を検出するように、窓部材１０２の裏側において外気に触れるように設置される。風量センサ１２は、例えば熱式（風速素子の温度変化）で風速を計測し、風量に演算して、演算結果（風量情報）を電気信号に含めて制御ユニット６に出力する。
【００４６】
ここで制御ユニット６は、風量センサ１２から取得する風量情報に基づき、送風機４の風量が概ね施設外の風量と一致するように自動的に調整するように構成される。つまり、送風システム１は、施設の高層階のように窓の開閉が容易に行い難い設置現場において、現在の施設外における風量に合わせた制御を行う。その結果、実際の自然環境と連携した擬似的環境を、施設内で再現できる。
【００４７】
機能部５は、一対のノズル部２の少なくとも一方（ここでは両方とする）から吹き出す空気流に対して付加要素を付与するように構成される。付加要素は、香り、空気浄化、及び温度変化のうちの少なくとも１つを含む。
【００４８】
付加要素が、香りを含む場合、機能部５は、例えば、芳香剤を含む香り提示装置を有する。香り提示装置は、例えば、一対の送風機４よりも上流側にて、送風機４の近傍に配置される。香り提示装置は、筐体９内に収容されてもよい。各送風機４は、芳香剤から気化した香りを含む空気を吸い込んで空気流を発生させて、一対のノズル部２から吹き出させる。その結果、窓部材１０２の前方に居るユーザに、良質な香りの空気を提供できる。
【００４９】
付加要素が、空気浄化を含む場合、機能部５は、例えば、空気清浄装置を有する。空気清浄装置は、例えば、一対の送風機４よりも上流側にて、送風機４の近傍に配置される。空気清浄装置は、筐体９内に収容されてもよい。空気清浄装置は、空気中の花粉等の微粒子を集塵する集塵フィルタ、及び脱臭用のフィルタ等を有する。各送風機４は、空気清浄装置で浄化された空気を吸い込んで空気流を発生させて、一対のノズル部２から吹き出させる。その結果、窓部材１０２の前方に居るユーザに、浄化された空気を提供できる。
【００５０】
また付加要素が、空気浄化を含む場合、機能部５は、例えば、空間除菌脱臭機を有してもよい。空間除菌脱臭機は、例えば、一対の送風機４よりも上流側にて、送風機４の近傍に配置される。空間除菌脱臭機は、筐体９内に収容されてもよい。空間除菌脱臭機は、次亜塩素酸を生成するように構成される。各送風機４は、次亜塩素酸を含んだ空気を吸い込んで空気流を発生させて、一対のノズル部２から吹き出させる。次亜塩素酸を含んだ空気流が窓部材１０２の前方に放出されることで、周囲の空間が除菌される。その結果、窓部材１０２の前方に居るユーザに、浄化された空気を提供できる。
【００５１】
付加要素が、温度変化を含む場合、機能部５は、例えば、空気調和装置を有する。空気調和装置は、コンプレッサを有する。空気調和装置は、例えば、一対の送風機４よりも上流側にて、送風機４の近傍に配置される。空気調和装置は、筐体９内に収容されてもよい。各送風機４は、空気調和装置にて生成された冷気又は暖気を吸い込んで空気流を発生させて、一対のノズル部２から吹き出させる。その結果、窓部材１０２の前方に居るユーザに、快適な温度の空気を提供できる。
【００５２】
機能部５が上述した空気清浄装置、空間除菌脱臭機及び空気調和装置を有する場合、それらの電源のオン、オフ、及び各種パラメータの調整等は、例えば、操作部７への操作にて実行可能である。なお、制御ユニット６が、機能部５に関する制御を集中的に行なってもよい。機能部５の稼働は、制御ユニット６の制御下で、送風機４の稼働に連動するように制御されてもよい。
【００５３】
このように機能部５が設けられていることで、付加要素が付与された合流空気流Ｇ１をユーザに提供できる。
【００５４】
本実施形態では、一対のノズル部２までの空気流の流路上（図３の矢印Ｃ１参照）において、機能部５、（一対の）送風機４、及び（一対の）ノズル部２の順で、これらが配置される（図３参照）。そのため、例えば、機能部５が送風機４とノズル部２との間に配置される場合に比べて、機能部５に関する交換作業（例えば芳香剤やフィルタ等の交換作業）が容易となる。
【００５５】
筐体９には電源コードが導出されており、電源コードのプラグが、例えば施設内のコンセント等に接続されて、送風機４、制御ユニット６、及び機能部５等を駆動するための動作電源が供給され得る。筐体９は、例えば外壁の内部に配置されてもよいし、室内の所定空間（天井裏や床裏でもよい）に設置されて、流路Ｃ２だけが、外壁の内部に配置されてもよい。
【００５６】
送風システム１は、窓部材１０２周辺から前方に向かって音楽等の音を鳴らすように構成されたスピーカ部を、更に備えてもよい。スピーカ部の稼働は、制御ユニット６の制御下で、送風機４の稼働に連動するように制御されてもよい。スピーカ部は、例えば、超音波を用いて指向性を持たせる、いわゆるパラメトリック・スピーカでもよい。スピーカ部がパラメトリック・スピーカであることで、局所的な空間（窓部材１０２の傍）に居るユーザに対して、空気流に加えて、音（音響）を提供できる。
【００５７】
（２．４）合流空気流
以下、送風システム１により提供される合流空気流Ｇ１について、図２、図４Ａ〜図４Ｄ及び図５Ａ〜図５Ｄを参照しながら説明する。
【００５８】
上述の通り、一対のノズル部２は、それぞれから互いに近づく方向に吹き出した空気流同士を衝突させて、窓部材１０２の一表面１０１と交差する方向に沿って一表面１０１から離れるように流れる合流空気流Ｇ１を発生させる。
【００５９】
本実施形態では、一対のノズル部２は、空気流同士が衝突する衝突点Ｐ１が、一対の吹出口２０同士を結ぶ仮想線上に概ね位置するように設定されている。衝突点Ｐ１では、空気流同士が衝突し合うことで、概ね前後方向に空気流が分かれる。ただし、後方には窓部材１０２が存在することから、衝突点Ｐ１から後方に向かう空気流は、一表面１０１に当たり、衝突点Ｐ１から前方に向かう空気流と混ざり得る。その結果、図４Ｄ及び図５Ｄに示すように、一表面１０１と直交する略直線状の合流空気流Ｇ１が、一表面１０１の前方に向かって発生される。
【００６０】
なお、図５Ａ〜図５Ｄは、左右のノズル部２から吹き出される空気流の風量バランス（比率）がそれぞれ異なる場合において、送風システム１により提供される合流空気流Ｇ１を上から見た熱画像（実験的に空気流は温風である）の様子を示す。図４Ａ〜図４Ｄは、斜め前方から見た合流空気流Ｇ１のシミュレーション結果を示す。
【００６１】
図５Ａの左右の風量比率は０．４：１であり、図４Ａは、同比率におけるシミュレーション結果である。図５Ｂの左右の風量比率は０．６：１であり、図４Ｂは、同比率におけるシミュレーション結果である。図５Ｃの左右の風量比率は０．８：１であり、図４Ｃは、同比率におけるシミュレーション結果である。図５Ｄの左右の風量比率は１：１であり、図４Ｄは、同比率におけるシミュレーション結果である。つまり、ここでは一例として、右のノズル部２Ｂからの空気流の風量「１００」に対して、左のノズル部２Ａからの空気流の風量を「４０」〜「１００」の範囲で変化させている。
【００６２】
これらの図面から、左右のノズル部２から吹き出される空気流の風量比率を変更することで、並び方向Ｄ１における衝突点Ｐ１の位置が変化することが容易に理解できる。すなわち、左右のノズル部２のうちの一方の風量が、他方の風量に対して下がるほど、当該一方の側に衝突点Ｐ１が移る。そして、衝突点Ｐ１の移動に伴って、合流空気流Ｇ１の風向も変化する。すなわち、左右の風量比率が１：１の場合、合流空気流Ｇ１の風向は、一表面１０１に対して直角である（図４Ｄ及び図５Ｄ参照）が、一方（図では左方）の風量が下がるにつれて、当該一方の側に傾き始め、一表面１０１に対する傾斜角度は小さくなる。
【００６３】
以上のように、本実施形態では、一対のノズル部２から吹き出した空気流同士の衝突による合流空気流Ｇ１が一表面１０１から離れるように流れる。そのため、例えば一表面１０１の正面にユーザが存在すれば、そのユーザに合流空気流Ｇ１を体感させることができる。その結果、例えば単体のノズル部から吹き出す空気流を、そのまま人に向けて提供する場合に比べて、空気流の体感性の向上を図ることができる。
【００６４】
特に、合流空気流Ｇ１の発生源である衝突点Ｐ１は、窓部材１０２の正面に存在する。言い換えると、吹出口が窓部材１０２上に存在しないにも関わらず、あたかも窓部材１０２から吹き出しているような、自然風に近い臨場感のある合流空気流Ｇ１を体感できる。つまり、窓部材１０２の正面に存在するユーザは、窓部材１０２が開いていなくても、外気の風を擬似的に体感できる。さらに、ノズル部の吹出口によって窓部材１０２越しに見える外景が阻害されることもない。
【００６５】
また気流制御部３（ここでは送風機４及び制御ユニット６）は、合流空気流Ｇ１の風向が変化するように空気流同士が衝突する位置を調整するため、空気流の体感性がさらに向上される。
【００６６】
制御ユニット６は、例えば、人感センサ１１の検知結果に基づく位置判定により、ユーザが第１エリアＲ１に存在すると判定すれば、左の風量を下げて図５Ａ又は図５Ｂに示すように合流空気流Ｇ１の風向を左斜め前方に変えてもよい。この場合、人感センサ１１の検知結果と連動させることで、合流空気流Ｇ１の体感性はさらに向上される。
【００６７】
また実際の施設外の風が強い日では、制御ユニット６は、風量センサ１２の検知結果に基づく風量の自動調整により、合流空気流Ｇ１の風量が増加するように送風機４を制御してもよい。ユーザは、窓部材１０２が開いていなくても、施設内で窓部材１０２越しに、風による街路樹等の揺れを見ながら、施設外と同等の強風を体感できる。この場合、合流空気流Ｇ１の体感性はさらに向上される。
【００６８】
（３）変形例
上記実施形態は、本開示の様々な実施形態の一つに過ぎない。上記実施形態は、本開示の目的を達成できれば、設計等に応じて種々の変更が可能である。また、上記実施形態に係る送風システム１の制御ユニット６と同様の機能は、制御ユニット６の制御方法、コンピュータプログラム、又はコンピュータプログラムを記録した非一時的記録媒体等で具現化されてもよい。
【００６９】
以下、上記実施形態の変形例を列挙する。以下に説明する変形例は、適宜組み合わせて適用可能である。以下では、上記実施形態を「基本例」と呼ぶこともある。
【００７０】
本開示における送風システム１の制御ユニット６は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における送風システム１の制御ユニット６としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra  Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００７１】
また、送風システム１の制御ユニット６における複数の機能が、１つのハウジング内に集約されていることは制御ユニット６に必須の構成ではなく、制御ユニット６の構成要素は、複数のハウジングに分散して設けられていてもよい。反対に、制御ユニット６における複数の機能が、１つのハウジング内に集約されてもよい。さらに、制御ユニット６の少なくとも一部の機能、例えば、制御ユニット６の一部の機能がクラウド（クラウドコンピューティング）等によって実現されてもよい。
【００７２】
（３．１）変形例１
以下、変形例１の送風システム１Ａについて図６〜図９Ｂを参照しながら説明する。ただし、基本例の送風システム１と実質的に共通する構成要素については同じ参照符号を付して、適宜にその説明を省略する。
【００７３】
変形例１の送風システム１Ａは、気流制御部３が、空気流に対して第２変化を付与する点で、基本例の送風システム１と異なる。
【００７４】
第２変化とは、一対のノズル部２の少なくとも一方から吹き出す空気流を複数の気流に分流させる変化である。変形例１の気流制御部３は、第２変化を付与するための分流構造３０（図７Ａ及び図７Ｂ参照）を有している。分流構造３０は、ノズル部２に設けられて空気流を複数の気流に分流させる。
【００７５】
以下では、第２変化は、一対のノズル部２の両方から吹き出す空気流に対して付与されるものとする。そのため、分流構造３０は、一対のノズル部２の各々に設けられている。しかし、第２変化は、一対のノズル部２の一方から吹き出す空気流に対してのみ付与されてもよく、分流構造３０は、一方のノズル部２に設けられてもよい。
【００７６】
変形例１の気流制御部３は、基本例の第１変化、及び第２変化のうち、少なくとも第２変化を付与する。言い換えると、変形例１において、基本例の第１変化は必須ではない。以下では、第１変化及び第２変化の両方が付与されるものとする。
【００７７】
以下、分流構造３０について具体的に説明する。分流構造３０は、各ノズル部２の内部における吹出口２０の近傍に配置される。分流構造３０は、上下方向において断続的な空気の流れを形成するように構成される。分流構造３０は、複数（ここでは５つ）の開口部３１と、複数（ここでは４つ）の壁部３２と、を有している。なお、図７Ａ及び図７Ｂでは、左のノズル部２Ａのみを図示する。
【００７８】
複数の開口部３１は、一表面１０１に沿って並ぶ（ここでは上下方向）。複数の開口部３１は、複数の気流をそれぞれ放出するように構成される。図７Ａに示すように、各開口部３１は、吹出口２０を正面から見たときに、上下方向に長尺の矩形状に開口している。なお、開口部３１の上記の開口形状は、単なる一例であり、特に限定されず、例えば円形状に開口してもよい。
【００７９】
各壁部３２は、複数の開口部３１における隣接する２つの開口部３１の間に介在する。複数の壁部３２は、吹出口２０を正面から見たときに、上下方向に長尺の矩形の形状となっている。各壁部３２は、ノズル部２の内側面と一体となって形成されているリブである。各壁部３２の、吹出口２０付近にてノズル部２の厚み方向と直交する方向に沿って切った断面は、図７Ｂに示すように、矩形の形状となっている。具体的には、４つの壁部３２のうちの中央２つ壁部３２の断面は、吹出口２０に近づくほど拡がるような略台形の形状となっている。一方、４つの壁部３２のうちの上下両側にある２つ壁部３２の断面は、長辺がノズル部２の内周面に沿うように傾斜した、略平行四辺形の形状となっている。なお、壁部３２の上記の断面形状は、単なる一例であり、特に限定されない。
【００８０】
吹出口２０に向かう空気流は、複数の壁部３２に当たり、複数の開口部３１から複数の気流として略均一の風量で放出され得る。
【００８１】
さらに変形例１の一対のノズル部２は、空気流同士が、一表面１０１から前方に所定の距離Ｗ１（図６参照）だけ離れた位置で衝突するように、一表面１０１に対して斜め前方に複数の気流を放出するように構成される。ここでは、各ノズル部２の第２端部２２の内部において互いに対向する第１内側面２２１及び第２内側面２２２（図６参照）が、窓部材１０２の一表面１０１に対して所定の角度を成して、斜め前方に傾斜している。一対のノズル部２における所定の角度は、互いに概ね等しい。
【００８２】
所定の角度は、例えば４５度である。所定の角度は、９０度未満であれば（つまり、一対のノズル部２からの空気流が互いに平行して前方に流れなければ）、特に限定されない。ただし、合流空気流Ｇ１の安定した形成を考慮すると、所定の角度は、１５度以上で４５度以下の範囲内であることが望ましい。なお、所定の角度は、衝突点Ｐ１が一表面１０１と検知エリアＲ０内のユーザとの間に位置するように、設定されることで、合流空気流Ｇ１の体感性がより向上される。逆に、所定の角度は、衝突点Ｐ１が検知エリアＲ０よりもさらに前方に位置するように、設定されてもよく、この場合、一対のノズル部２からの空気流と一表面１０１とで囲まれた閉塞空間を、ユーザに体験させることができる。
【００８３】
ところで、図８Ａ及び図８Ｂは、比較例である送風システム１Ｘにおける空気流の様子を示す。比較例の送風システム１Ｘは、基本例の送風システム１と同様に、分流構造３０を有していない。ただし、比較例の一対のノズル部２Ｘは、変形例１の送風システム１Ａと同様に、一表面１０１に対して４５度の傾斜角度で、斜め前方に複数の気流を放出するように構成される。
【００８４】
比較例の送風システム１Ｘは、分流構造３０を有していないことで、一対のノズル部２Ｘからの空気流の一方が他方を巻き込んで渦を巻くように混流し、前方への直線的な合流空気流Ｇ１が形成されていないことが図８Ａ及び図８Ｂから理解できる。これは、２つの空気流の間の空気圧が周囲の空気圧に比べて低下することで、２つの空気流が負圧となった空間に引き込まれてしまうことに起因する。
【００８５】
一方、変形例１の送風システム１Ａは、分流構造３０を有していることで、壁部３２が、図９Ｂに示すように、複数の開口部３１から放出した複数の気流における隣接する２つの気流の間に空気が誘引される誘引部３３を作る。つまり、誘引部３３が存在することで、周囲の空間ＳＰ１の空気が誘引部３３を介して２つの空気流の間における負圧の空間ＳＰ２内に流入して、空間ＳＰ１の空気圧と空間ＳＰ２の空気圧とのバランスが保たれる。その結果、負圧による合流空気流Ｇ１の乱れを抑制することができる。つまり、たとえ衝突点Ｐ１が一表面１０１から前方に所定の距離Ｗ１だけ離れた位置に設定されても、前方への直線的な合流空気流Ｇ１を安定的に形成することができる（図９Ａ参照）。
【００８６】
（３．２）変形例２
以下、変形例２の送風システム１Ｂについて図１０Ａを参照しながら説明する。ただし、基本例の送風システム１と実質的に共通する構成要素については同じ参照符号を付して、適宜にその説明を省略する。なお、図１０Ａは、一対のノズル部２の一方における、吹出口２０及びその周辺部位のみを模式的に示す。
【００８７】
変形例２の送風システム１Ｂは、気流制御部３が空気流に対して第１変化を付与する点で、基本例の送風システム１と共通する一方で、気流制御部３が、風量を変更可能な開閉機構Ｙ１（図１０Ａ参照）を更に含む点で、基本例の送風システム１と異なる。
【００８８】
変形例２では、一対のノズル部２の各々は、空気流の風向制御を行う、１又は複数（ここでは１つ）のルーバ８を有しており、このルーバ８が、開閉機構Ｙ１としても機能する。
【００８９】
ルーバ８は、上下方向に長尺である矩形の帯板状となっている。ルーバ８は、その上下の両端に軸部を有しており、これらの軸部を介して、ノズル部２の吹出口２０から露出するようにノズル部２の本体２００に取り付けられている。またルーバ８は、これらの軸部を介して、ノズル部２の本体２００に対して、所定の角度範囲内で回転可能に支持されている。ルーバ８は、例えば、その厚み方向が前後方向と概ね一致する第１位置と、その厚み方向が左右方向と概ね一致する第２位置との間で、回転可能である。
【００９０】
送風システム１Ｂは、制御ユニット６の制御下により、ルーバ８を第１位置から第２位置の間で回転駆動する駆動部を有している。ルーバ８は、駆動部により回転することで、風向を変更できる。ルーバ８が窓部材１０２の一表面１０１に対して所定の角度を成す位置まで回転することで、空気流が、変形例１のように斜め前方に放出されてもよい。このような風向制御より、空気流の体感性がさらに向上される。
【００９１】
またルーバ８は、上述の通り開閉機構Ｙ１としても機能する。ルーバ８は、例えば吹出口２０を概ね塞ぐ程度に回転されることで、空気流の風量を抑制（変更）する。このように気流制御部３が、開閉機構Ｙ１を含むことで、合流空気流Ｇ１の風量を変更でき、空気流の体感性がさらに向上される。なお、変形例２にとって、基本例における制御ユニット６（気流制御部３）が、モータの回転速度を調整して送風機４の風量を制御することは必須ではない。
【００９２】
また変形例２にとって、ルーバ８を自動制御で回転駆動する駆動部は必須ではなく、ルーバ８は、ユーザからの手動操作を受けることで回転してもよい。
【００９３】
さらにルーバ８は、その回転軸が上下方向に沿っていることに限定されない。図１０Ｂは、変形例２の別の例（ルーバ８Ａ）を示す。ルーバ８Ａの回転軸は、前後方向に沿っている。複数のルーバ８Ａは、上下方向に沿って並んでいる。図１０Ｂの例では、各ルーバ８Ａは、その前後方向の両端にある軸部を介して、ノズル部２の本体２００に対して、所定の角度範囲内で回転可能に支持されている。この図１０Ｂの例においても、合流空気流Ｇ１の風量を変更でき、空気流の体感性がさらに向上される。
【００９４】
（３．３）変形例３
以下、変形例３の送風システム１Ｃについて図１１Ａを参照しながら説明する。ただし、基本例の送風システム１と実質的に共通する構成要素については同じ参照符号を付して、適宜にその説明を省略する。
【００９５】
冬場等の季節において、裏側が外気に曝されている窓部材１０２付近では、窓部材１０２の表側（室内の側）で下降冷気Ｈ１（図１１Ａ参照）が発生し得る（コールドドラフト現象）。そして、コールドドラフト現象により、室内の温度に関する快適性が損なわれる可能性がある。
【００９６】
そこで、変形例３の送風システム１Ｃは、一対のノズル部２が左右の枠片１０４ではなく上下の枠片１０５内に設けられている点で、基本例の送風システム１と異なる。そして、変形例３の一対のノズル部２の一方（ここでは下方のノズル部２）は、窓部材１０２における一表面１０１の前方に生じる下降冷気に対向するように、下から上へ空気流を吹き出す。なお、ここでは、一対のノズル部２の風量比率に関して、一方（ここでは下方のノズル部２）の風量が、他方（ここでは上方のノズル部２）の風量よりも大きくなるように規定される。この構成によれば、窓部材１０２におけるコールドドラフトを抑制することができる。
【００９７】
変形例３の送風システム１Ｃは、センサＺ１として温度センサを更に有してもよい。制御ユニット６は、温度センサから得られる温度情報に基づいて、コールドドラフトを抑制するように、送風機４の稼働を自動的に開始してもよい。
【００９８】
なお、基本例の送風システム１のように左右一対のノズル部２から空気流を吹き出す構成であっても、コールドドラフトを抑制する一定の効果は得られるが、変形例３の方がより高い効果が得られる。
【００９９】
（３．４）変形例４
以下、変形例４の送風システム１Ｄについて図１１Ｂを参照しながら説明する。ただし、基本例の送風システム１と実質的に共通する構成要素については同じ参照符号を付して、適宜にその説明を省略する。
【０１００】
基本例では、送風システム１は、送風窓１００に適用される。変形例４の送風システム１Ｄは、いわゆるデジタルサイネージ１５０に適用される点で、基本例の送風システム１と異なる。
【０１０１】
デジタルサイネージ１５０は、様々な映像や文字を表示する情報媒体である。図１１Ｂの例では、デジタルサイネージ１５０は、駅ビルや、地下街、百貨店等の支柱１６０に埋め込み配置される。デジタルサイネージ１５０は、送風システム１Ｄと、映像及び文字の少なくとも一方を表示部１７０と、これらを収容又は保持する筐体枠１８０と、を備えている。ここでは、構造体Ｘ１は、表示部１７０である。
【０１０２】
表示部１７０は、例えば、液晶ディスプレイ又は有機ＥＬ（Electro Luminescence）ディスプレイ等によって実現される。送風システム１Ｄの一対のノズル部２は、表示部１７０の一表面１０１の両側（ここでは左右の両側）から、一表面１０１に沿って各々が空気流を吹き出すように配置される。
【０１０３】
この構成によれば、表示部１７０に表示される映像等を閲覧する者（ユーザ）に対する空気流の体感性が向上される。
【０１０４】
特に、変形例４では、制御ユニット６は、映像を生成して表示部１７０に出力する映像処理部から、映像情報を取得するように構成される。そして、制御ユニット６は、映像処理部からの映像情報に応じて（映像情報に連携して）、送風機４の風量を調整するように構成される。例えば、清涼感をイメージするようなシーンや商品公告に関する映像を提示する場合、送風機４の風量に変化を付与することで、デジタルサイネージ１５０の傍にいる人に与える清涼感が、合流空気流Ｇ１によって向上され得る。
【０１０５】
また食品やレストラン等の公告に関する映像を提示する場合、香り（例えば柑橘類等の香り）が付与された空気流を吹き出すことで、デジタルサイネージ１５０の傍を通る人に対して公告を喚起することができる。その結果、購買意欲等がより促進される。
【０１０６】
特に、変形例４では、基本例で説明した人感センサ１１により、デジタルサイネージ１５０の傍を通る人を検知した場合に、空気流の吹き出しを開始することで、無用な消費電力を抑えつつ、適切なタイミングで合流空気流Ｇ１を提供できる。
【０１０７】
なお、制御ユニット６が、映像処理部の機能も兼ね備えてもよい。また送風システム１Ｄは、デジタルサイネージ１５０以外にも、表示部を有した遊技機に適用されてもよい。
【０１０８】
（３．５）その他の変形例
基本例では、窓枠１０３は、矩形の板状である窓部材１０２の四辺を囲むように矩形の枠状に形成されている。しかし、窓部材１０２は、矩形の板状に限定されず、矩形以外の多角形の板状でもよいし、円形の板状でもよい。窓枠１０３も、窓部材１０２の形状に応じて、矩形以外の多角形の枠状でもよいし、円形の枠状でもよい。また窓部材１０２と窓枠１０３とは、互いに非相似形状でもよい。
【０１０９】
基本例における自然環境との連携について、送風システム１は、例えば、太陽が昇り始めた早朝において、そよ風のような空気流を吹き出し、太陽の上昇と共に空気流の温度を徐々に上げ、夕暮れには冷気を含んだ空気流を吹き出してもよい。この場合、送風システム１は、センサＺ１として照度センサや温度センサ等を有し、それらの検知結果に基づいて空気流の風量制御を行ってもよい、また送風システム１は、現在時刻を基準に風量制御を行ってもよい。このような風量制御によって、自然環境に近い環境を施設内で再現できる。また送風システム１は、合流空気流Ｇ１に対して自然環境の風に近い揺らぎ（１／ｆの揺らぎでもよい）を持たせるように風量制御を行ってもよい。
【０１１０】
基本例では、室内の空気を循環させる構成が採用されている。すなわち、送風機４に向かう空気の吸込口は、施設の室内に設置されている。しかし、吸込口は、施設の外部に設置されて、外気循環を行なってもよい。ただし、外気循環を行う場合、機能部５は、花粉、塵埃、黄砂、及び微粒子状物質（ＰＭ１０、ＰＭ２．５等）を集塵する集塵フィルタを有した空気清浄装置を有することが望ましい。
【０１１１】
基本例では、ノズル部２は、送風機４からの空気流が導入される導入口が、後端部（第１端部２１）に配置されている。しかし、導入口は、ノズル部２の下端部に設けられ、ノズル部２は、下方からノズル部２内に導入された空気流が横方向に吹き出される構成でもよい。この場合、ノズル部２の前後方向における寸法を抑制できる。ただし、この構成では、吹出口２０の上下両側で、空気流の風量にむらが生じる可能性が高くなるため、風量の均一性の観点では、基本例が望ましい。
【０１１２】
送風窓１００は、いわゆる出窓でもよい。送風窓１００が出窓の場合、基本例のように一対のノズル部２から左右方向に真っ直ぐ吹き出した空気流の衝突点Ｐ１は、窓部材１０２の一表面１０１から一定の距離（例えば３０ｃｍ程度）だけ離れた位置になり得る。この場合、後方へ向かう空気流が発生するため、前方に向かう安定した合流空気流Ｇ１が得られない可能性がある。したがって、送風窓１００が出窓の場合、送風システム１は、変形例１の分流構造３０を有することが望ましい。
【０１１３】
基本例における送風システム１は、左右一対のノズル部２に加えて、上下一対のノズル部を更に備えてもよい。合流空気流Ｇ１は、上下左右（四方）からの空気流が衝突することで形成されてもよい。上下一対のノズル部は、左右一対のノズル部２とは異なる構造（寸法及び形状）を有してもよい。
【０１１４】
各ノズル部２における（吹出口２０のある）第２端部２２の端面は、平坦な面に限定されず、例えば、窓部材１０２の正面から見て円弧状に湾曲していてもよい。
【０１１５】
構造体Ｘ１は、窓部材１０２及び表示部１７０以外に、鏡でもよい。構造体Ｘ１が鏡である場合、送風システム１は、例えば洗面化粧台に適用されてもよい。
【０１１６】
基本例では、送風窓１００の設置場所は、施設内（屋内）を想定していたが、送風窓１００の設置場所は、施設外（屋外）でもよく、送風窓１００は、例えば移動体の窓でもよい。移動体の例としては、自動車、電車、航空機、船舶、建設機械、及び遊園地の乗り物等を含み得る。例えば窓の開閉が行えない電車の窓に適用される場合、電車の進行方向の側のノズル部２から吹き出す空気流の風量を、反対側のノズル部２の風量よりも多くすることで、外の風が顔に当たっているような擬似的な体感が得られる。
【０１１７】
機能部５が空気調和装置を有する場合、送風機４と空気調和装置とが一体となっていてもよい。言い換えると、空気調和装置が、送風機４として機能してもよい。
【０１１８】
変形例３で説明したコールドドラフト以外にも、冬場等の季節において、裏側が外気に曝されている窓部材１０２の表側（室内の側）の一表面１０１では、結露が発生する可能性が高い。しかし、左右一対（上下一対でもよい）のノズル部２からの空気流により、結露も抑制され得る。結露を抑制する場合、室外と室内の温度差が少なくなるように、冷気を含んだ空気流を吹き出してもよい。一方で、室内に人が居る場合、冷気によって室内温度の快適性が損なわれる可能性が高いため、冷気の代わりに風量を増加させてもよく、その場合においても結露の抑制効果が得られる。
【０１１９】
基本例では、ノズル部２は、窓枠１０３と別体となっていて、ノズル部２の一部が窓枠１０３の内部に収容されている。しかし、ノズル部２と窓枠１０３とが一体となって形成されてもよい。例えば、窓枠１０３は、ノズル部２の機能を兼ね備えてもよい。
【０１２０】
（４）まとめ
以上説明したように、第１の態様に係る送風システム（１、１Ａ〜１Ｄ）は、一対のノズル部（２）を備える。一対のノズル部（２）は、構造体（Ｘ１）の一表面（１０１）の両側から、一表面（１０１）に沿って各々が空気流を吹き出す。一対のノズル部（２）は、それぞれから互いに近づく方向に吹き出した空気流同士を衝突させて、一表面（１０１）と交差する方向に沿って一表面（１０１）から離れるように流れる合流空気流（Ｇ１）を発生させる。第１の態様によれば、空気流の体感性の向上を図ることができる。
【０１２１】
第２の態様に係る送風システム（１、１Ａ〜１Ｄ）は、第１の態様において、気流制御部（３）を更に備える。気流制御部（３）は、一対のノズル部（２）の少なくとも一方から吹き出す空気流に対して、第１変化及び第２変化の少なくとも一方を付与する。第１変化は、空気流の風量に関する変化である。第２変化は、空気流を複数の気流に分流させる変化である。第２の態様によれば、空気流の体感性がさらに向上される。
【０１２２】
第３の態様に係る送風システム（１、１Ａ〜１Ｄ）に関して、第２の態様において、気流制御部（３）は、空気流に対して、少なくとも第１変化を付与する。気流制御部（３）は、合流空気流（Ｇ１）の風向が変化するように、一対のノズル部（２）が並ぶ並び方向（Ｄ１）における空気流同士が衝突する位置を調整する。第３の態様によれば、合流空気流（Ｇ１）の風向を変更でき、空気流の体感性がさらに向上される。
【０１２３】
第４の態様に係る送風システム（１、１Ａ〜１Ｄ）に関して、第２の態様又は第３の態様において、気流制御部（３）は、空気流に対して、少なくとも第１変化を付与する。気流制御部（３）は、風量を変更可能な送風機（４）を含む。第４の態様によれば、合流空気流（Ｇ１）の風量を変更でき、空気流の体感性がさらに向上される。
【０１２４】
第５の態様に係る送風システム（１、１Ａ〜１Ｄ）に関して、第２〜第４の態様のいずれか１つにおいて、気流制御部（３）は、空気流に対して、少なくとも第１変化を付与する。気流制御部（３）は、風量を変更可能な開閉機構（Ｙ１）を含む。第５の態様によれば、合流空気流（Ｇ１）の風量を変更でき、空気流の体感性がさらに向上される。
【０１２５】
第６の態様に係る送風システム（１、１Ａ〜１Ｄ）は、第２〜第５の態様のいずれか１つにおいて、電気信号を出力するセンサ（Ｚ１）を、更に備える。気流制御部（３）は、空気流に対して、少なくとも第１変化を付与する。気流制御部（３）は、センサ（Ｚ１）から取得する電気信号に応じて、空気流の風量を変化させる。第６の態様によれば、センサ（Ｚ１）による検知結果に基づく空気流の風量調整を行うことができる。
【０１２６】
第７の態様に係る送風システム（１、１Ａ〜１Ｄ）に関して、第２〜第６の態様のいずれか１つにおいて、気流制御部（３）は、空気流に対して、少なくとも第２変化を付与する。気流制御部（３）は、一対のノズル部（２）の各々に設けられて複数の気流を発生させる分流構造（３０）を有する。一対のノズル部（２）は、空気流同士が、一表面（１０１）から前方に所定の距離（Ｗ１）だけ離れた位置で衝突するように、一表面（１０１）に対して斜め前方に複数の気流を放出する。第７の態様によれば、空気流の体感性がさらに向上される。
【０１２７】
第８の態様に係る送風システム（１、１Ａ〜１Ｄ）に関して、第７の態様において、分流構造（３０）は、複数の開口部（３１）と、壁部（３２）と、を有する。複数の開口部（３１）は、一表面（１０１）に沿って並び、かつ複数の気流をそれぞれ放出する。壁部（３２）は、複数の開口部（３１）における隣接する２つの開口部（３１）の間に介在する。さらに壁部（３２）は、複数の開口部（３１）から放出した複数の気流における隣接する２つの気流の間に空気が誘引される誘引部（３３）を作る。第８の態様によれば、負圧による合流空気流（Ｇ１）の乱れを抑制することができる。
【０１２８】
第９の態様に係る送風システム（１、１Ａ〜１Ｄ）は、第１〜第８の態様のいずれか１つにおいて、機能部（５）を、更に備える。機能部（５）は、一対のノズル部（２）の少なくとも一方から吹き出す空気流に対して付加要素を付与する。付加要素は、香り、空気浄化、及び温度変化のうちの少なくとも１つを含む。第９の態様によれば、付加要素が付与された合流空気流（Ｇ１）をユーザに提供できる。
【０１２９】
第１０の態様に係る送風システム（１、１Ａ〜１Ｄ）は、第９の態様において、空気流を一対のノズル部（２）に送る１又は複数の送風機（４）を、更に備える。一対のノズル部（２）までの空気流の流路上において、機能部（５）、１又は複数の送風機（４）、及び一対のノズル部（２）の順で、これらが配置される。第１０の態様によれば、例えば、機能部（５）が１又は複数の送風機（４）と一対のノズル部（２）との間に配置される場合に比べて、機能部（５）に関する交換作業が容易となる。
【０１３０】
第１１の態様に係る送風システム（１、１Ａ〜１Ｄ）に関して、第１〜第１０の態様のいずれか１つにおいて、一対のノズル部（２）の各々は、空気流の風向制御を行う、１又は複数のルーバ（８）を有する。第１１の態様によれば、空気流の体感性がさらに向上される。
【０１３１】
第１２の態様に係る送風システム（１、１Ａ〜１Ｄ）に関して、第１〜第１１の態様のいずれか１つにおいて、一対のノズル部（２）の各々は、空気流を一表面（１０１）に沿って吹き出す吹出口（２０）を有する。吹出口（２０）は、その長手方向が一表面（１０１）に沿ったスリット形状となっている。第１２の態様によれば、一表面（１０１）に沿った細長い空気流を吹き出させることで、合流空気流（Ｇ１）を容易に形成できる。
【０１３２】
第１３の態様に係る送風システム（１、１Ｃ）に関して、第１〜第１２の態様のいずれか１つにおいて、構造体（Ｘ１）は、窓部材（１０２）である。一対のノズル部（２）の少なくとも一方は、窓部材（１０２）における一表面（１０１）の前方に生じる下降冷気に対向するように空気流を吹き出す。第１３の態様によれば、窓部材（１０２）におけるコールドドラフトを抑制することができる。
【０１３３】
第１４の態様に係る送風システム（１、１Ｄ）に関して、第１〜第１２の態様のいずれか１つにおいて、構造体（Ｘ１）は、映像及び文字の少なくとも一方を表示する表示部（１７０）である。第１４の態様によれば、表示部（１７０）に表示される映像等を閲覧する者（ユーザ）に対する空気流の体感性が向上される。
【０１３４】
第１５の態様に係る送風窓（１００）は、第１〜第１４の態様のいずれか１つにおける送風システム（１、１Ａ〜１Ｃ）と、窓部材（１０２）である構造体（Ｘ１）を支持する窓枠（１０３）と、を備える。窓枠（１０３）は、互いに対向する一対の枠片（１０４）を有する。一対のノズル部（２）は、空気流を吹き出す吹出口（２０）が窓枠（１０３）から露出するように、一対の枠片（１０４）の内部にそれぞれ配置される。第１５の態様によれば、空気流の体感性の向上を図ることが可能な送風システム（１、１Ａ〜１Ｃ）を備えた送風窓（１００）を提供できる。
【０１３５】
第２〜第１４の態様に係る構成については、送風システム（１、１Ａ〜１Ｄ）に必須の構成ではなく、適宜省略可能である。
【符号の説明】
【０１３６】
１、１Ａ〜１Ｄ  送風システム
２  ノズル部
２０  吹出口
３  気流制御部
３０  分流構造
３１  開口部
３２  壁部
３３  誘引部
４  送風機
５  機能部
８  ルーバ
１００  送風窓
１０１  一表面
１０２  窓部材
１０３  窓枠
１０４  枠片
１７０  表示部
Ｄ１  並び方向
Ｇ１  合流空気流
Ｗ１  所定の距離
Ｘ１  構造体
Ｙ１  開閉機構
Ｚ１  センサ
【図１】
2020165566.tif 000003
【図２】
2020165566.tif 000004
【図３】
2020165566.tif 000005
【図４】
2020165566.tif 000006
【図５】
2020165566.tif 000007
【図６】
2020165566.tif 000008
【図７】
2020165566.tif 000009
【図８】
2020165566.tif 000010
【図９】
2020165566.tif 000011
【図１０】
2020165566.tif 000012
【図１１】
2020165566.tif 000013